(57)【要約】【課題】文面の入力操作を含む電子メール作成、送信、受信に係る操作をより容易化し、視力が低い人にとっても使い易く、ディジタル技術に抵抗感を持っている人に対しても、拒否反応を起こさせにくく、柔軟性を有する通信端末装置を提供する。【解決手段】文字配列シート４に文字、数字、さらには電子メールに関する各種コマンドを配置し、それを囲む領域に、個々の文字、数字、コマンドと１対１に関連付けられた図像によるコードを配置する。そして同コードをスキャナペン３により読み取って本体部２に送り、本体部２またはスキャナペン３で文字、数字、コマンドに変換し、文字、数字は表示部２４に表示する。この操作を繰り返すことにより電子メールを作成し、携帯電話機５を通じて通信網６へ送信する。【選択図】図１
2009042833.tif 000002
【特許請求の範囲】
【請求項１】
通信網を介して通信装置と通信可能な通信端末装置であって、
複数の文字又は文字列が配列され、個々の前記文字又は文字列を囲む領域内に、前記文字又は文字列に１対１に関連付けられた図像によるコードが配置された文字配列シート部と、
前記文字配列シート部上に配置された前記図像によるコードを読み取るスキャナ部と、
前記通信装置と通信可能であり、表示部を有する本体部と、
前記スキャナ部によって読み取られた前記図像によるコードを、その図像によるコードに１対１に関連付けられた前記文字又は文字列の情報に変換する変換手段と、
前記変換手段によって得られた前記文字又は文字列の情報を、電子メール形式の情報として、前記通信網に送信する送信手段と、
前記電子メール形式の情報を前記通信網から受信する受信手段と、
前記変換手段によって得られた前記文字又は文字列の情報、及び前記受信手段によって受信した電子メール形式の情報を前記表示部に表示する表示制御手段とを備えたことを特徴とする通信端末装置。
【請求項２】
前記文字配列シート部は、複数のかな文字が配列され、個々の前記かな文字を囲む領域内に前記かな文字に１対１に関連付けられた図像によるコードが配置されたかな文字配列部を有し、
前記かな文字を囲む領域内に配置されて前記スキャナ部によって読み取られた前記図像によるコードを、その図像によるコードに１対１に関連付けられた前記かな文字の情報に変換するかな文字変換手段と、
前記表示制御手段は、前記かな文字変換手段によって得られた前記かな文字を前記表示部に表示する請求項１に記載の通信端末装置。
【請求項３】
前記文字配列シート部は、前記電子メールの送信または受信の指令が配列され、その指令を囲む領域内に前記指令に１対１に関連付けられた図像によるコードが配置された指令配列部を有し、
前記指令を囲む領域内に配置されて前記スキャナ部によって読み取られた前記図像によるコードを、その図像によるコードに１対１に関連付けられた前記指令の情報に変換する指令変換手段と、
その指令変換手段によって得られた前記指令の情報が送信の場合に、前記送信手段は前記電子メールを送信し、前記指令変換手段によって得られた前記指令の情報が受信の場合に、前記受信手段は前記電子メールを受信する請求項１又は２に記載の通信端末装置。
【請求項４】
電子メールの受信を報知するための報知手段と、
前記電子メールの受信を検出する検出手段と、
前記検出手段により前記電子メールの受信が検出された場合に前記報知手段を作動させて電子メールが受信されたことを報知する報知制御手段とを備えた請求項１乃至３のいずれか１項に記載の通信端末装置。
【請求項５】
前記報知手段は、報知のための光出力部と音声出力部との少なくとも１つを備えた請求項４に記載の通信端末装置。
【発明の詳細な説明】
【技術分野】
【０００１】
本発明は、通信端末装置に関する。
【背景技術】
【０００２】
今日において電子メールは広く普及し、日常の情報伝達において高い利便性を示している。しかし例えば高齢者にとっては表示部分やキー入力部の小さな文字やキー等が普及を妨げる要因となっている可能性がある。高齢者社会を迎えて、多くの高齢者との日々の情報のやり取りが重要度を増すなかで、電子メールをより使い易い存在にして高齢化社会における情報伝達をより容易にすることは重要である。
【０００３】
さらに高齢者に限らずディジタル技術に抵抗がある人々にとっても、電子メールの利用には壁が存在し、電子メールの持つ便利さから疎外されている現状がある。情報化社会において情報を自由に利用できる人とそれに困難を感じる人との間のギャップは社会問題のひとつであり、たとえ電子メールの問題に限定したとしても、もしこのギャップを縮小することができれば社会にとって有用である。
【０００４】
例えば下記特許文献１には、高齢者など、ディジタル機器に不慣れな人が操作者であっても、電子メールを送ることにより、操作者の安否を問うことが可能な通信端末装置が開示されている。
【０００５】
【特許文献１】特開２００４−１７８４１３号公報
【発明の開示】
【発明が解決しようとする課題】
【０００６】
上記特許文献１の技術では、高齢者などが想定される操作者が、電子メールを受信すると、それが大きなテレビ受像機に表示されることで、操作者にも読み易くされ、さらに電子メールがテレビ受像機に表示されると、自動的に返信メールが作成されて送信されるので、操作者の安否が確認できる。
【０００７】
しかし特許文献１では返信メールは自動的に作成されるので、返信メールにより多くの情報をのせて送りたい場合には適さない。また高齢者などが電子メールの文面を作成する際にキーが小さいことが問題となる点などは考慮されていない。よって、電子メールの作成をより容易にする目的には特許文献１の技術は適さない。
【０００８】
例えば高齢者、あるいは視力が低い利用者のためには、入力のためのキーを大きくすることが必要であるが、視力の程度によって必要とされる大きさが異なる点が問題となり得る。したがって、この点に関して柔軟性を有するようにできれば大きな利点となる。またディジタル技術に抵抗感を持っている人に対しても、拒否反応を起こさせにくい装置構成であることも重要である。
【０００９】
そこで本発明が解決しようとする課題は、上記問題点に鑑み、文面の入力操作を含む電子メール作成、送信、受信に係る操作をより容易化し、視力が低い人にとっても使い易く、ディジタル技術に抵抗感を持っている人に対しても、拒否反応を起こさせにくく、柔軟性を有する通信端末装置を提供することにある。
【課題を解決するための手段及び発明の効果】
【００１０】
上記課題を解決するために、本発明に係る通信端末装置は、通信網を介して通信装置と通信可能な通信端末装置であって、複数の文字又は文字列が配列され、個々の前記文字又は文字列を囲む領域内に、前記文字又は文字列に１対１に関連付けられた図像によるコードが配置された文字配列シート部と、前記文字配列シート部上に配置された前記図像によるコードを読み取るスキャナ部と、前記通信装置と通信可能であり、表示部を有する本体部と、前記スキャナ部によって読み取られた前記図像によるコードを、その図像によるコードに１対１に関連付けられた前記文字又は文字列の情報に変換する変換手段と、前記変換手段によって得られた前記文字又は文字列の情報を、電子メール形式の情報として、前記通信網に送信する送信手段と、前記電子メール形式の情報を前記通信網から受信する受信手段と、前記変換手段によって得られた前記文字又は文字列の情報、及び前記受信手段によって受信した電子メール形式の情報を前記表示部に表示する表示制御手段とを備えたことを特徴とする。
【００１１】
これにより、本発明に係る通信端末装置においては、文字配列シート部に文字や文字列が配列され、その文字や文字列を囲む領域内に、当該文字や文字列に１対１で関連付けられた図像によるコードが配置され、それをスキャナ部で読み取ることにより文字や文字列が入力されて電子メールが作成される。したがって、キーボード、マウス等に拒否反応を示す利用者にとっても印刷物というより親しみ易く拒否反応がおきにくい構成であり、かつ使い易い操作で電子メールが作成、送信、受信できる通信端末装置が構成できる。さらに視力が低い使用者に対して本装置を提供する際に、文字配列シート部における文字の大きさを変更する、あるいは文字の大きさが多様な複数のシートを予め容易しておいて視力の度合いに応じてシートを変更するといった作業は、キーボードを作り変えること等と比較してはるかに容易である。したがって高齢者などの視力の低い使用者に対して柔軟に対応できる通信端末装置となる。
【００１２】
また、前記文字配列シート部は、複数のかな文字が配列され、個々の前記かな文字を囲む領域内に前記かな文字に１対１に関連付けられた図像によるコードが配置されたかな文字配列部を有し、前記かな文字を囲む領域内に配置されて前記スキャナ部によって読み取られた前記図像によるコードを、その図像によるコードに１対１に関連付けられた前記かな文字の情報に変換するかな文字変換手段と、前記表示制御手段は、前記かな文字変換手段によって得られた前記かな文字を前記表示部に表示する構成としてもよい。
【００１３】
これにより、文字配列シート部に配列されたかな文字を囲む領域内の図像によるコードをスキャナ部で読み取ることでそのかな文字を入力するので、使用者にとって親しみ易い構成で、電子メールが気軽に作成できる通信端末装置となる。
【００１４】
また、前記文字配列シート部は、前記電子メールの送信または受信の指令が配列され、その指令を囲む領域内に前記指令に１対１に関連付けられた図像によるコードが配置された指令配列部を有し、前記指令を囲む領域内に配置されて前記スキャナ部によって読み取られた前記図像によるコードを、その図像によるコードに１対１に関連付けられた前記指令の情報に変換する指令変換手段と、その指令変換手段によって得られた前記指令の情報が送信の場合に、前記送信手段は前記電子メールを送信し、前記指令変換手段によって得られた前記指令の情報が受信の場合に、前記受信手段は前記電子メールを受信するとしてもよい。
【００１５】
これにより、電子メールの送信と受信に係る操作も、文字配列シートに配列された指令を囲む領域に配置された図像によるコードをスキャナ部で読み取ることでその指令を入力するので、使用者にとって親しみ易い操作で、電子メールが気軽に送信、受信できる通信端末装置となる。
【００１６】
さらに、電子メールの受信を報知するための報知手段と、前記電子メールの受信を検出する検出手段と、前記検出手段により前記電子メールの受信が検出された場合に前記報知手段を作動させて電子メールが受信されたことを報知する報知制御手段とを備えたとしてもよい。
【００１７】
これにより報知手段によって使用者に電子メールの受信を報知するので、高齢者など、ディジタル機器の操作が苦手な使用者にとっても極めて容易に電子メールの受信を知ることができる。
【００１８】
また、前記報知手段は、報知のための光出力部と音声出力部との少なくとも１つを備えたとしてもよい。
【００１９】
これにより、光出力部によって電子メールの受信を報知する場合、聴力が低い人あるいは聴覚障害者に対しても容易に電子メールの受信を知らせる通信端末装置とできる。また音声出力部による音声出力で電子メールの受信を報知する場合、視力が低い人に対しても確実に電子メールの受信を知らせることができる。さらには、使用者が本装置の方を向いていない場合でも、あるいは本装置の近くにいない場合にも、音声によって報知するので、電子メールの受信を知らせることができる。
【発明を実施するための最良の形態】
【００２０】
以下、本発明の実施形態を図面を参照しつつ説明する。まず図１は、本発明に係る通信端末装置１の実施例である。
【００２１】
通信端末装置１は主に本体部２、スキャナペン３、文字配列シート４（シート）からなる。また携帯電話機５も使用される。さらに通信網６には携帯電話機５と通信する基地局７と、電子メールの受信、送信、保存機能などを有するメールサーバ８が接続されている。
【００２２】
通信端末装置１の個々の構成部分の基本的な役割は、まず文字配列シート４に各種文字、数字、文例、指令などが配列され、個々のそれらの周辺領域にバーコードや微小なシンボルによるコードなどの図像によるコードが配置されている。スキャナペン３は、そのコードを読み取って本体部２へ送る。そして本体部２ではその情報をそれぞれに対応する文字、数字、文例、指令などに変換し、文字などは表示部２４に表示する。
【００２３】
こうした操作により使用者は電子メールを作成し、それを携帯電話機５に送り、それを経由して基地局７、メールサーバ８を通じて通信網６へ送る。またメールサーバ８から携帯電話機５を通じて電子メールを受信して表示部２４に表示することなども行う。その際の各種操作に関する指令（コマンド）も文字配列シート４に配列され、その周辺にも図像によるコードが配置されている。そのコードをスキャナペン３で読み取ることで使用者は電子メールの受信などの操作を行う。
【００２４】
本体部２の主要な内部構成は図２（ａ）に示されている。ＣＰＵ２１は本体部２における各種情報処理、演算を行う。ＲＡＭ２２はＣＰＵ２１の作業領域などの役割を担う。ＲＯＭ２３は必要なプログラム等を格納する。表示部２４は例えばＬＣＤ（液晶ディスプレイ）により構成され、受信した電子メールあるいは作成中の電子メールの文面を含めた各種表示がなされる。
【００２５】
ＵＳＢポート２５はＵＳＢ接続機能を有する各種機器との接続を行う。発光部２６は、例えば備えられたＬＥＤ等が発光することによって、後述するように使用者に電子メールの受信などを報知する。スピーカ２７は、ブザー音やメロディー音、人間の音声による報知メッセージなどを出力することにより使用者の聴覚に対して電子メールの受信などを報知する。ハードディスクドライブ２８（ＨＤＤ）は、各種データ、プログラム等の保存のために用いられる。外部記憶媒体制御部２９は外部記憶媒体を接続するスロットなどを備え、その外部記憶媒体に電子メールの情報などを保存する機能を有する。なおＨＤＤ２８はコンパクトフラッシュなど他の記憶媒体、記憶装置に置き換えてもよい。
【００２６】
スキャナペン３は、ペンの先端にスキャナ機能を有し、この機能によって文字配列シート４上に配置されたバーコードやシンボルによるコードなど図像によるコードを読み取る。より具体的にはペン先部分をコード部分の近傍に近づけることによって、そのコードが読み取られる。スキャナ部がペン形状を有することで使用者により親しみ易さを感じさせることができる。
【００２７】
スキャナペン３の内部構造の一例が図２（ｂ）に示されている。スキャナペン３ではＣＰＵ３１によって各種情報処理を行い、その作業領域などのためのＲＡＭ３２、記憶部ＲＯＭ３３が備えられている。スキャナ部３５によって図像によるコードを読み取る。スキャナ部３５としては例えばＣ−ＭＯＳセンサが好適であり、Ｃ−ＭＯＳセンサで読み取った画像情報をＣＰＵ３１によって解析して数値（あるいは数値コード）に変換する。そしてその数値コードを入出力部３４を通じて本体部２に送る。図１の実施形態では本体部２とスキャナペン３とはＵＳＢポート２５を介して接続されている。しかし本体部２とスキャナペン３とは例えば、シリアルポートを介して接続されていてもよく、Ｂｌｕｅｔｏｏｔｈ（登録商標）などにより無線接続されていてもよい。
【００２８】
文字配列シート４は、各種の文字や数字が配列されたシートであり、さらにその文字や数字の周辺領域にバーコードやシンボルによるコードが配置されている。その例が図４及び図５に示されている。図４や図５に示されたシート４が図１に示されたように冊子状に綴じられる。この形態ならば必要なシートを付け加えることや不要なシートを取り外すことは容易であり、柔軟で拡張性の高いシステムとできる。
【００２９】
図４のシートの例では、上部にかな文字が配列されたかな文字配列部４５０がある。かな文字は５０音順に並べられている。個々のかな文字と数字を囲む領域には、これらのかな文字、数字と１対１に関連付けられたシンボルによるコードが配置されている。本実施例では、このシンボルによるコードは肉眼では認識が困難な微小なシンボルからなるとする。
【００３０】
例えば一例としては、「あ」の領域４０１内には図６（ａ）に示されたシンボルあるいは図像が配置され、「か」の領域４０２内には図６（ｂ）に示されたシンボルあるいは図像が配置されている。こうしたシンボルが、全てのかな文字、数字を含む領域に、個々の領域ごとに異なるシンボルが配置されている。そして使用者が選択したい文字や数字の近傍にスキャナペン３を近づけることによってこのシンボルが画像データとして読み取られる。そしてスキャナペン３のＣＰＵ３１によってその画像データ（図像によるコード）が数値データ（数値コード）に変換される。この変換のために、ＲＯＭ３３に記憶された変換プログラム１０１と変換テーブル１０１ａが用いられる。変換テーブル１０１ａの例が図１７（ａ）に示されている。変換テーブル１０１ａには、全ての文字（列）、数字、指令などの図像によるコードと数値コードとが１対１に関連付けられて記憶されている。変換プログラム１０１は、この変換テーブル１０１ａに従って図像によるコードを数値コードに変換する。そして数値コードは本体部２に送られる。
【００３１】
本体部２のＲＯＭ２３には変換プログラム１００が格納されており、これが呼び出されて、スキャナペン３から本体部２に送られた数値コードが、その数値コードに１対１に関連付けられたかな文字や数字の情報に変換されＲＡＭ２２に格納される。変換プログラム１００は、この変換のための文字（列）、数字、指令と数値コードとの１対１の関連付けを示す変換テーブル１００ａを有する。
【００３２】
変換テーブル１００ａの概念図が図１７（ｂ）に示されている。この変換テーブル１００ａを用いて変換プログラム１００は、数値コードを文字（列）、数字、指令に変換する。そのために変換テーブル１００ａには当然、すべての数値コードとすべてのかな文字（列）、数字、指令等の１対１の関連付けが記憶されている。
【００３３】
後述するように本通信端末装置１の目的は電子メールの作成、送信、受信などであり、変換プログラム１００で変換された文字や数字は、作成中の電子メールの文面などとして表示部２４に表示されることとなる。
【００３４】
図４のシートにおいては下部に電子メールに係わる各種操作のためのコマンドが配列された指令配列部４６０がある。個々のコマンドを囲む領域にも、上述の文字、数字と同様に、シンボルによるコードが配置されている。スキャナペン３のペン先部分をコード部分の近くに持っていきシンボルを読み込むことで画像データとして取り込まれる。この画像データがスキャナペン３で変換プログラム１０１により数値データに変換され、これを本体部２に送って、変換プログラム１００でコマンドに変換することによって、そのコマンドに対応した作業が実行される。
【００３５】
図５にはシート４の別の例が示されている。この例においては、シート４上に電子メールに使用される代表的な文例が配列されている。そして各文例の横にバーコードが配置されている。例えば「了解しました。」との文例の横にはバーコード４２０が配置されている。このバーコードを、スキャナペン３で読み込む。その画像データが変換プログラム１０１によって数値コードに変換され、さらに本体部２に送られて変換プログラム１００によって文例に変換され、ＲＡＭ２２に格納される。そしてその文例は表示部２４にも表示される。
【００３６】
なお図５のシートにおいてバーコードを用いないで、図４のシートと同様に個々の文例を囲む領域に図６のようなシンボルによるコードを配置するとしてもよい。その場合、上述の文字の場合などと同様にスキャナペン３によって取り込まれて変換プログラム１００で文例に変換されてＲＡＭ２２に格納され、表示部２４に表示される。
【００３７】
以下では、上述のようにスキャナペン３によってシート４上の文字、数字、文例、指令などを囲む領域にある図像によるコード（シンボルによるコードやバーコード）を読み取ることを、文字、数字、文例、指令などをスキャナペン３で選択すると称する。なお上記の文字、数字、コマンド、文例さらには図像によるコード（シンボルによるコードやバーコード、あるいはさらに２次元コードを用いてもよい）は、シート４に直接印刷されていてもよく、他の媒体に印刷されたものが、シート４上に接着されているとしてもよい。
【００３８】
携帯電話機５の内部構成図は図３に示されている。ＣＰＵ５１は携帯電話機５における各種情報処理、演算を行う。ＲＡＭ５２はＣＰＵ５１の作業領域などの役割を担う。ＲＯＭ５３は必要なプログラム等を格納する。キー入力部５４は使用者からのキーを用いた入力を受け付ける。音声入出力部５５はスピーカやマイクロフォンを備え、通話における音声の入出力の機能を有する。ＵＳＢポート５６はＵＳＢ接続機能を有する各種機器との接続を行う。無線通信部５０は、アンテナ５０ａを備え、無線通信機能により通信網６との間で音声情報や電子メール情報などを送受信する機能を有する。
【００３９】
図１の実施形態では本体部２と携帯電話機５とはＵＳＢポート２５及びＵＳＢポート５６を介して接続されている。しかし本体部２と携帯電話機５とは例えば、シリアルポートを介して接続されていてもよく、Ｂｌｕｅｔｏｏｔｈ（登録商標）などにより無線接続されていてもよい。
【００４０】
以上の装置構成によって、電子メールに係わる、例えば作成、送信、受信等の操作がどのように行われるかを以下で説明する。まず図７は、本通信端末装置１による電子メールに係る主要な処理手順を示すフローチャートである。
【００４１】
まず電源がオンとされると、手順Ｓ１０で本体部２のＣＰＵ２１は、本体部２とスキャナペン３が適切に接続されているかをチェックする。適切に接続されていない場合は表示部２４にその情報を表示して使用者に適切な接続を命じる。次にＳ２０で携帯電話機５と本体部２とが適切に接続されているかをチェックする。適切に接続されていない場合は表示部２４にその情報を表示して使用者に適切な接続を命じる。
【００４２】
次にＳ３０で表示部２４にメインメニューを表示する。表示された状態の一例が図１３に示されている。図１３のメインメニューでは、例えば「１．メールを読む」、「２．メールを読む（リストから）」、「３．あたらしくメールをつくる」、「４．メールを送る」、「５．送信済みのメールを読む」としている。
【００４３】
次にＳ４０では使用者が図４の文字配列シート４における数字のうちから１から５の数字を、前述の方法でスキャナペン３によって選択する。この情報が本体部２に送られる。次に手順Ｓ５０，Ｓ５１，Ｓ５２，Ｓ５３によって、Ｓ４０における使用者の入力が１の場合はＳ６０に進み、使用者の入力が２の場合はＳ６１に進み、使用者の入力が３の場合はＳ６２に進み、使用者の入力が４の場合はＳ６３に進み、使用者の入力が５の場合はＳ６４に進む。
【００４４】
Ｓ６０では未読の受信電子メールの表示が行われる。これは図８に示されており後述する。Ｓ６１では受信電子メールのリストの表示処理が行われる。これについては図９に示されており後述する。Ｓ６２では電子メールの新規作成の処理が行われる。これについては図１０に示されており後述する。Ｓ６３では電子メールの送信処理が行われる。これについては図１１に示されており後述する。Ｓ６４では送信済み電子メールの表示処理が行われる。これについては図１２に示されており後述する。
【００４５】
Ｓ６０，Ｓ６１，Ｓ６２，Ｓ６３，Ｓ６４の手順が終了したら、次にＳ７０へ進む。Ｓ７０では使用者が行うべき作業が終了したかどうかが、使用者によりスキャナペン３で例えば図４の「終了」領域４１０を選択すると終了、「次へ」領域４０８を選択すると未終了として入力される。作業が終了の場合は（Ｓ７０：ＹＥＳ）、電源がオフとなり全ての処理が終了となる。作業が未終了の場合は（Ｓ７０：ＮＯ）、再びＳ３０へ戻り、メインメニューの表示された状態へと戻る。以上が図７の主処理のフローチャートである。
【００４６】
次に図８を説明する。図８は上述のとおり、未読の受信メールの表示処理のフローチャートである。この一連の処理ではまず手順Ｓ６００で、受信した電子メール（メール）をチェックする。これは本体部２のＣＰＵ２１から携帯電話機５を通じてメールサーバ８に問い合わせることにより行われる。そして未読のメールがある場合（Ｓ６０１：ＹＥＳ）、Ｓ６０２へ進み、未読のメールがない場合（Ｓ６０１：ＮＯ）は、この処理を終了する。
【００４７】
Ｓ６０２では発光部２６を発光させて、使用者に未読メールの存在を報知する。この発光処理では、電子メールが重要度が高い場合と通常の場合では、発光のさせ方を異なるものとしてもよい。例えば重要度が高い場合には光度をあげる、あるいは点滅させることなどが例としてあげられる。これにより使用者に適切に未読メールの重要度を報知することができる。
【００４８】
次にＳ６０３ではスピーカ２７によってブザー音やメロディー音、または人間の音声による報知メッセージなどを出力することで、使用者に未読メールの存在を報知する。この音声出力処理でも、電子メールが重要度が高い場合と通常の場合では、音声を異なるものとしてもよい。例えば重要度が高い場合には音量を大きくする、あるいは強弱を繰り返す音声とするなどが例としてあげられる。また重要度に応じて報知メッセージを異なるものにしてもよい。これにより使用者に適切に未読メールの重要度を報知することができる。
【００４９】
次にＳ６０４では未読メールを表示部２４に表示するかどうかを使用者が入力する。この手順は例えば、表示させる場合は図４における「メール表示」領域４０７を使用者がスキャナペン３によって選択し、表示させない場合は図４の「次へ」領域４０８をスキャナペン３によって選択することにより行うとすればよい。使用者の入力が表示させるであった場合（Ｓ６０４：ＹＥＳ）、Ｓ６０５に進み、使用者の入力が表示させないであった場合（Ｓ６０４：ＮＯ）、この処理を終了する。Ｓ６０５では未読メールが表示部２４に表示される。
【００５０】
以上に述べた未読の受信メールの表示処理のうちでＳ６００、Ｓ６０１，Ｓ６０２，Ｓ６０３の部分を、使用者からの入力に関係なく自動的に（あるいはさらに定期的に）ＣＰＵ２１によって行うこととしてもよい。これにより未読メールの存在をより迅速に使用者に報知することができる。
【００５１】
次に図９を説明する。図９は上述のとおり、受信メールのリストの表示処理のフローチャートである。この一連の処理ではまずＳ６１０でメールリストをＣＰＵ２１から、携帯電話機５を通じてメールサーバ８に問い合わせる。次にＳ６１１でメールサーバ８から本体部２にメールリストが返信される。次にＳ６１２ではそのメールリストが表示部２４に表示される。
【００５２】
そしてＳ６１３で、メールリストのなかから読みたいメールを使用者が選択する。この手順は例えば図４のシート４における矢印領域４１５をスキャナペン３で選択して読みたいメールを選び、「選択」領域４０９をスキャナペン３で選択してそのメールを確定するとすればよい。これによりＳ６１４でそのメールの内容がメールサーバ８からダウンロードされる。そしてＳ６１５でそのメール内容が表示部２４に表示される。
【００５３】
次に図１０を説明する。図１０は上述のとおり、メールの新規作成処理のフローチャートである。この処理はＳ６２において行ってもよいし、図４の「新規」領域４０３をスキャナペン３で選択することで始めてもよい。この一連の処理ではまずＳ６２０で、本体部２から携帯電話機５へアドレスリストを問い合わせる。これは図４の「リスト」領域４０５をスキャナペン３で選択することで実行してもよい。これにより携帯電話機５のＲＯＭ５３に記憶されているアドレスリスト１０３が返信される。アドレスリスト１０３には想定される送信先とそのメールアドレスとが記憶されている。そしてＳ６２２で、そのアドレスリスト１０３が表示部２４に表示される。その表示例が図１４に示される。
【００５４】
次にＳ６２３でアドレスリストのなかから、電子メールを送りたい宛先を選択する。この手順は例えば、図４のシート４における矢印領域４１５をスキャナペン３で選択して宛先のアドレスを選び、「選択」領域４０９をスキャナペン３で選択して宛先を確定するとすればよい。次にＳ６２４でメールの件名を入力し、Ｓ６２５で文面を入力する。
【００５５】
電子メールの件名や文面を入力している途中の表示例が図１５に示されている。件名や文面の入力においては、上述のように文字、数字や文例をスキャナペン３により選択することで入力する。このときに例えば漢字変換のためには、かな文字を複数個スキャナペン３で選択した後に、図４の「変換」領域４１１をスキャナペン３で連続して選択して漢字候補を連続して表示させ、望ましい候補のところで「選択」領域４０９をスキャナペン３で選択することにより行えばよい。
【００５６】
そして、このような手順により電子メールの作成が終了したら、Ｓ６２６で電子メール作成が終了したことを示す入力を使用者が行う。これは例えば図４のシート４における「終了」領域４１０をスキャナペン３により選択することで行うとすればよい。このＳ６２６の終了入力をおこなうことにより自動的に、作成した電子メールがＨＤＤ２８に保存されるとしてもよい。またＳ６２６の終了入力をおこなうことにより自動的に、作成した電子メールが外部記憶媒体制御部２９によって外部記憶媒体に保存されるとしてもよい。これにより作成したメールの保存操作が不要となり利便性が向上する。
【００５７】
次に図１１を説明する。図１１は上述のとおり、電子メールの送信処理のフローチャートである。この一連の処理ではまずＳ６３０で、使用者から、未送信の電子メールの送信指示が入力される。この手順は例えば、図４のシート４における「送信」領域４０６をスキャナペン３により選択することによって行ってもよい。これによりＳ６３１で、未送信の電子メールの送信が実行される。この手順では例えばＨＤＤ２８に保存されている全ての未送信電子メールが送信されるとすればよい。送信が完了したらＳ６３２で、送信の完了が表示部２４に表示される。
【００５８】
なお本実施例においては、上記Ｓ６２の処理で電子メール形式の情報が作成されるとしてもよい。またＳ６２の処理ではテキストファイルが作成されるとし、このテキストファイルがＳ６３１で送信されることにより携帯電話機５で電子メール形式の情報に変換されて通信網６へと送信されるとしてもよい。後者の場合には、例えばこの目的のために、携帯電話機５のＲＯＭ５３内に保存されているメール・テキスト変換プログラム１０２を用いるとすればよい。このメール・テキスト変換プログラム１０２は、テキストファイルから電子メール形式のファイルへと変換する機能を有するプログラムである。このメール・テキスト変換プログラム１０２をあらかじめＲＯＭ５３に格納しておく。
【００５９】
次に図１２を説明する。図１２は上述のとおり、送信済み電子メールの表示処理のフローチャートである。この一連の処理ではまずＳ６４０で、送信済みメールリストが表示部２４に表示される。この手順では例えば、ＨＤＤ２８にはＳ６３１で送信された電子メールが全て記憶されているとし、その記憶された電子メールのリストが表示されるとする。表示例は図１６で示される。
【００６０】
次にＳ６４１で、このリストのなかから使用者が１つのメールを選択する。この手順は例えば、図４のシート４における矢印領域４１５をスキャナペン３で選択して１つのメールを選び、「選択」領域４０９をスキャナペン３で選択して表示したいメールを確定するとすればよい。そしてＳ６４２で、そのメールが表示部２４に表示される。以上が図１２である。
【００６１】
本発明は以上で述べた実施の形態に限定されず、多様な変形を施すことができる。以下で、上で述べた実施例の変形例を示す。個々の変形例の説明では上記実施例と異なる部分のみを説明し、同様の部分の説明は省略する。
【００６２】
まず変形例１が図１８に示されている。この変形は図２の変形であり、図像によるコードが、それに１対１に関連付けられた文字などに変換される際のスキャナペン３と本体部２との役割分担に関係する変形である。上記実施例の図２ではスキャナペン３では図像によるコードを数値コードに変換し、それを本体部２の送り、本体部２で数値コードを文字などの情報に変換していた。
【００６３】
図１８に示された変形例では、スキャナペン３で図像によるコードを画像データとして読み取って、そのまま変換を施さずに本体部２に送る。そして本体部２で、送られた画像データを文字などの情報に変換する。そのために本体部２が変換プログラム１００と変換テーブル１００ａ、１０１ａを有しており、スキャナペンには変換プログラム、変換テーブルが存在しない。
【００６４】
図１８の変換プログラム１００は図２の変換プログラム１００、１０１を合わせた機能をもつとすればよい。また図１８において変換テーブル１００ａ、１０１ａを合成して図像によるコードを直接文字などに変換するテーブルとしてもよい。
【００６５】
図１９には変形例２が示されている。この変形例２は、変形例１とは逆にスキャナペン３に全ての変換の機能を持たせて、本体部２には変換機能を持たせない例である。そのためにスキャナペン３が変換プログラム１００と変換テーブル１００ａ、１０１ａを有しており、本体部２には変換プログラム、変換テーブルが存在しない。これら変形例１，２の構成では、変換機能を本体部２かスキャナペン３かのどちらかにまとめることによる機能の集約化とそれによるシステム構成の簡素化の効果を奏する。変形例１は、スキャナペン３の構造を簡素化したい場合に好適である。変形例２は本体部２の構造を簡素化したい場合に適している。
【００６６】
次に変形例３が図２０に示されている。この変形例３では携帯電話機５が使用されない。その代わりに無線ＬＡＮが使用される。つまり本体部２は無線ＬＡＮ通信部１２を有し、同部と無線ルータ１０を通じて通信網６と電子メールの送受信を行う。この構成により携帯電話機５がない状況下でも電子メールの送受信が行える。なお無線ＬＡＮではなく有線ＬＡＮを用いてもよく、その場合ルータと本体部２とは有線接続される。
【００６７】
さらに図２１に示された変形例４では、携帯電話機５における無線通信部５０、アンテナ５０ａに相当する無線モジュール１１が本体部２のなかに組み込まれている。この無線モジュール１１を用いることにより、携帯電話機５がなくとも電子メールの送受信が行える。上の実施例では図３の携帯電話機５のＲＯＭ５３に格納されていたメール・テキスト変換プログラム１０２、アドレスリスト１０３を、これら変形例３，４では本体部２のＲＯＭ２３に格納すればよい。また実施例３，４では使用者による入力で直接電子メール形式のファイルを作成するとしてもよい。この場合、メール・テキスト変換プログラム１０２は不要となる。
【００６８】
次に変形例５が図２２に示されている。この図２２は図４、５の変形である。本発明では図４、５に示されたような文字（列）、数字に限定されず、絵文字や記号などが使用できる。図２２に示されたシート４のように、絵文字や演算記号、かっこ類等を配置したシート４を作成して、これを図１のように冊子に綴じればよい。当然これらの絵文字や記号を囲む領域内に図６に示されたような、個々の絵文字や記号と１対１に関連付けられた図像によるコードが配置される。上述のとおりこのコードをスキャナペン３で読み取り、本体部２へ送るとともにスキャナペン３か、本体部２か，その両方かで絵文字や記号の情報に変換する。本発明はこのようにシートを追加することにより、入力したい絵文字、記号などを増やすことが容易に行えるとの長所を有する。
【００６９】
変形例６が図２３，図２４に示されている。上の実施例では図６や図１７に示されたように、図像によるコードとしてシンボルによるコードやバーコードが用いられた。しかし本発明における図像によるコードはこうした例に限定されない。図２３、図２４に示された例は、他の図像によるコードの一例である。この図像によるコードは４つ１組のドットが格子状の基本位置からどのようにずれた位置にあるかを用いたドットパターンによるコードである。例えば図６（ａ）、（ｂ）のかわりに図２３（ａ）、（ｂ）に示されたドットパターンを用いる。そして図１７（ａ）の変換テーブル１０１ａが例えば図２４のように変更される。当然すべての文字（列）、数字、指令（さらには絵文字、記号）などに対してドットパターンが１対１に関連付けて変換テーブル１０１ａに記憶される。以上が変形例である。
【００７０】
上記実施例、変形例において、文字配列シート４が文字配列シート部を構成する。スキャナペン３がスキャナ部を構成する。変換プログラム１００及び、変換テーブル１００ａが変換手段、かな文字変換手段、指令変換手段として機能する。Ｓ６３の手順が送信手段として機能する。Ｓ６０及びＳ６１の手順が受信手段として機能する。Ｓ６０５及びＳ６１５の手段が表示制御手段として機能する。Ｓ６０１の手順が検出手段として機能する。発光部２６が光出力部を構成する。スピーカ２７が音声出力部を構成する。また発光部２６とスピーカ２７とが報知手段を構成する。Ｓ６０２，Ｓ６０３の手順が報知制御手段を形成する。
【図面の簡単な説明】
【００７１】
【図１】本発明の通信端末装置の実施形態を示す図。
【図２】（ａ）本体部の内部構成、及び（ｂ）スキャナペンの内部構成を示す図。
【図３】携帯電話機の内部構成を示す図。
【図４】文字配列シート部の一例を示す図。
【図５】文字配列シート部の別の一例を示す図。
【図６】文字配列シート部の１領域内の拡大図。
【図７】本発明の実施形態における主たる処理のフローチャート。
【図８】受信メール（未読）表示処理のフローチャート。
【図９】受信メール（リスト）表示処理のフローチャート。
【図１０】メール新規作成処理のフローチャート。
【図１１】メール送信処理のフローチャート。
【図１２】送信済みメール表示処理のフローチャート。
【図１３】表示部における表示例を示す図。
【図１４】表示部における表示例を示す図。
【図１５】表示部における表示例を示す図。
【図１６】表示部における表示例を示す図。
【図１７】変換テーブルの概念図。
【図１８】変形例１における（ａ）本体部の内部構成、及び（ｂ）スキャナペンの内部構成を示す図。
【図１９】変形例２における（ａ）本体部の内部構成、及び（ｂ）スキャナペンの内部構成を示す図。
【図２０】変形例３における通信端末装置の実施形態を示す図。
【図２１】変形例４における通信端末装置の実施形態を示す図。
【図２２】変形例５における文字配列シートを示す図。
【図２３】変形例６における図像によるコードの例を示す図。
【図２４】変形例６における変換テーブルの概念図。
【符号の説明】
【００７２】
１    通信端末装置
２    本体部
３    スキャナペン
４    文字配列シート
５    携帯電話機
６    通信網
７    基地局
８    メールサーバ
２１    ＣＰＵ
２３    ＲＯＭ
２４    表示部
２６    発光部
２７    スピーカ
１００    変換プログラム
１００ａ    変換テーブル
１０１    変換プログラム
１０１ａ    変換テーブル
１０２    メール・テキスト変換プログラム
１０３    アドレスリスト
【図１】
2009042833.tif 000003
【図２】
2009042833.tif 000004
【図３】
2009042833.tif 000005
【図４】
2009042833.tif 000006
【図５】
2009042833.tif 000007
【図６】
2009042833.tif 000008
【図７】
2009042833.tif 000009
【図８】
2009042833.tif 000010
【図９】
2009042833.tif 000011
【図１０】
2009042833.tif 000012
【図１１】
2009042833.tif 000013
【図１２】
2009042833.tif 000014
【図１３】
2009042833.tif 000015
【図１４】
2009042833.tif 000016
【図１５】
2009042833.tif 000017
【図１６】
2009042833.tif 000018
【図１７】
2009042833.tif 000019
【図１８】
2009042833.tif 000020
【図１９】
2009042833.tif 000021
【図２０】
2009042833.tif 000022
【図２１】
2009042833.tif 000023
【図２２】
2009042833.tif 000024
【図２３】
2009042833.tif 000025
【図２４】
2009042833.tif 000026
【手続補正書】
【提出日】平成19年12月4日(2007.12.4)
【手続補正１】
【補正対象書類名】特許請求の範囲
【補正対象項目名】請求項１
【補正方法】変更
【補正の内容】
【請求項１】
通信網を介して通信装置と通信可能な通信端末装置であって、
複数の文字又は文字列が配列され、個々の前記文字又は文字列を囲む領域内に、前記文字又は文字列に１対１に関連付けられた肉眼では認識が困難な図像によるコードが配置された文字配列シート部と、
前記文字配列シート部上に配置された前記図像の近傍にペン先部分を近づけることによって前記図像によるコードを読み取るペン形状のスキャナ部と、
前記通信装置と通信可能であり、表示部を有する本体部と、
前記スキャナ部によって読み取られた前記図像によるコードを、その図像によるコードに１対１に関連付けられた前記文字又は文字列の情報に変換する変換手段と、
前記変換手段によって得られた前記文字又は文字列の情報を、電子メール形式の情報として、前記通信網に送信する携帯電話機からなる送信手段と、
前記電子メール形式の情報を前記通信網から受信する携帯電話機からなる受信手段と、
前記変換手段によって得られた前記文字又は文字列の情報、及び前記受信手段によって受信した電子メール形式の情報を前記表示部に表示する表示制御手段とを備え、
前記文字配列シート部は、シートの追加や取り外しが可能なように冊子状に綴じられ、前記文字配列シート部上に配置された文字の大きさが異なる複数のシートを含むことを特徴とする通信端末装置。
【手続補正２】
【補正対象書類名】明細書
【補正対象項目名】００１０
【補正方法】変更
【補正の内容】
【００１０】
上記課題を解決するために、本発明に係る通信端末装置は、通信網を介して通信装置と通信可能な通信端末装置であって、複数の文字又は文字列が配列され、個々の前記文字又は文字列を囲む領域内に、前記文字又は文字列に１対１に関連付けられた肉眼では認識が困難な図像によるコードが配置された文字配列シート部と、前記文字配列シート部上に配置された前記図像の近傍にペン先部分を近づけることによって前記図像によるコードを読み取るペン形状のスキャナ部と、前記通信装置と通信可能であり、表示部を有する本体部と、前記スキャナ部によって読み取られた前記図像によるコードを、その図像によるコードに１対１に関連付けられた前記文字又は文字列の情報に変換する変換手段と、前記変換手段によって得られた前記文字又は文字列の情報を、電子メール形式の情報として、前記通信網に送信する携帯電話機からなる送信手段と、前記電子メール形式の情報を前記通信網から受信する携帯電話機からなる受信手段と、前記変換手段によって得られた前記文字又は文字列の情報、及び前記受信手段によって受信した電子メール形式の情報を前記表示部に表示する表示制御手段とを備え、前記文字配列シート部は、シートの追加や取り外しが可能なように冊子状に綴じられ、前記文字配列シート部上に配置された文字の大きさが異なる複数のシートを含むことを特徴とする。
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
通信網を介して通信装置と通信可能な通信端末装置であって、
複数の文字又は文字列が配列され、個々の前記文字又は文字列を囲む領域内に、前記文字又は文字列に１対１に関連付けられた肉眼では認識が困難な図像によるコードが配置された文字配列シート部と、
前記文字配列シート部上に配置された前記図像の近傍にペン先部分を近づけることによって前記図像によるコードを読み取るペン形状のスキャナ部と、
前記通信装置と通信可能であり、表示部を有する本体部と、
前記スキャナ部によって読み取られた前記図像によるコードを、その図像によるコードに１対１に関連付けられた前記文字又は文字列の情報に変換する変換手段と、
前記変換手段によって得られた前記文字又は文字列の情報を、電子メール形式の情報として、前記通信網に送信する携帯電話機からなる送信手段と、
前記電子メール形式の情報を前記通信網から受信する携帯電話機からなる受信手段と、
前記変換手段によって得られた前記文字又は文字列の情報、及び前記受信手段によって受信した電子メール形式の情報を前記表示部に表示する表示制御手段とを備え、
前記文字配列シート部は、シートの追加や取り外しが可能なように冊子状に綴じられ、前記文字配列シート部上に配置された文字の大きさが使用者の視力の度合いに応じて異なる複数のシートを含み、
前記送信手段は、前記変換手段によって得られた前記文字又は文字列によるテキストファイル形式の情報を、電子メール形式の情報へと変換して、前記通信網に送信し、
前記文字配列シート部には、電子メールの送信、受信したメールの選択、表示の指令も配置され、前記スキャナ部は前記指令を囲む領域の前記図像によるコードを読み取り、前記変換手段によって前記指令へ変換されることを特徴とする通信端末装置。
【請求項２】
前記文字配列シート部は、複数のかな文字が配列され、個々の前記かな文字を囲む領域内に前記かな文字に１対１に関連付けられた図像によるコードが配置されたかな文字配列部を有し、
前記かな文字を囲む領域内に配置されて前記スキャナ部によって読み取られた前記図像によるコードを、その図像によるコードに１対１に関連付けられた前記かな文字の情報に変換するかな文字変換手段と、
前記表示制御手段は、前記かな文字変換手段によって得られた前記かな文字を前記表示部に表示する請求項１に記載の通信端末装置。
【請求項３】
前記文字配列シート部は、前記電子メールの送信または受信の指令が配列され、その指令を囲む領域内に前記指令に１対１に関連付けられた図像によるコードが配置された指令配列部を有し、
前記指令を囲む領域内に配置されて前記スキャナ部によって読み取られた前記図像によるコードを、その図像によるコードに１対１に関連付けられた前記指令の情報に変換する指令変換手段と、
その指令変換手段によって得られた前記指令の情報が送信の場合に、前記送信手段は前記電子メールを送信し、前記指令変換手段によって得られた前記指令の情報が受信の場合に、前記受信手段は前記電子メールを受信する請求項１又は２に記載の通信端末装置。
【請求項４】
電子メールの受信を報知するための報知手段と、
前記電子メールの受信を検出する検出手段と、
前記検出手段により前記電子メールの受信が検出された場合に前記報知手段を作動させて電子メールが受信されたことを報知する報知制御手段とを備えた請求項１乃至３のいずれか１項に記載の通信端末装置。
【請求項５】
前記報知手段は、報知のための光出力部と音声出力部との少なくとも１つを備えた請求項４に記載の通信端末装置。
【手続補正２】
【補正対象書類名】明細書
【補正対象項目名】００１０
【補正方法】変更
【補正の内容】
【００１０】
上記課題を解決するために、本発明に係る通信端末装置は、通信網を介して通信装置と通信可能な通信端末装置であって、複数の文字又は文字列が配列され、個々の前記文字又は文字列を囲む領域内に、前記文字又は文字列に１対１に関連付けられた肉眼では認識が困難な図像によるコードが配置された文字配列シート部と、前記文字配列シート部上に配置された前記図像の近傍にペン先部分を近づけることによって前記図像によるコードを読み取るペン形状のスキャナ部と、前記通信装置と通信可能であり、表示部を有する本体部と、前記スキャナ部によって読み取られた前記図像によるコードを、その図像によるコードに１対１に関連付けられた前記文字又は文字列の情報に変換する変換手段と、前記変換手段によって得られた前記文字又は文字列の情報を、電子メール形式の情報として、前記通信網に送信する携帯電話機からなる送信手段と、前記電子メール形式の情報を前記通信網から受信する携帯電話機からなる受信手段と、前記変換手段によって得られた前記文字又は文字列の情報、及び前記受信手段によって受信した電子メール形式の情報を前記表示部に表示する表示制御手段とを備え、前記文字配列シート部は、シートの追加や取り外しが可能なように冊子状に綴じられ、前記文字配列シート部上に配置された文字の大きさが使用者の視力の度合いに応じて異なる複数のシートを含み、前記送信手段は、前記変換手段によって得られた前記文字又は文字列によるテキストファイル形式の情報を、電子メール形式の情報へと変換して、前記通信網に送信し、前記文字配列シート部には、電子メールの送信、受信したメールの選択、表示の指令も配置され、前記スキャナ部は前記指令を囲む領域の前記図像によるコードを読み取り、前記変換手段によって前記指令へ変換されることを特徴とする。